(57)【特許請求の範囲】
【請求項１】
図柄を変動表示させて遊技演出を行なう図柄表示装置が臨む装飾部材に配設され、前記図柄表示装置の遊技演出に合わせて、演出部材に所定の演出動作を行なわせる遊技機における可動式演出装置であって、
前記装飾部材に設けた固定部に配設した駆動手段と、
前記固定部にスライド可能に配設されると共に、前記駆動手段に連繋され、該駆動手段により待機位置と作動位置との間で移動されるベース部材と、
前記演出部材を有し、前記ベース部材に、該ベース部材の移動方向にスライド可能に配設される第１ラックと、
前記ベース部材に、前記第１ラックに対向してベース部材の移動方向にスライド可能に配設される第２ラックと、
前記ベース部材に、前記第１ラックおよび第２ラックの間に夫々噛合した状態で回動自在に配設され、その回動により一方のラックのベース部材に対する変位方向と反対側に他方のラックを変位させる伝達ギアと、
前記第２ラックに設けられ、第２ラックが前記待機位置から作動位置に向かう第１方向に移動する際に前記固定部により移動が規制されて該第２ラックを第１位置に保持すると共に、第２ラックが作動位置から待機位置に向かう第２方向に移動する際に前記固定部により移動が規制されて該第２ラックを第２位置に保持するラックストッパとを備え、
前記ベース部材が待機位置から第１方向に移動する際に、前記ラックストッパが固定部で規制されて第２ラックが第１位置に保持された状態で、前記第１ラックが伝達ギアとの噛合作用下にベース部材に対し第１方向に変位し、前記ベース部材が作動位置から第２方向に移動する際に、前記ラックストッパが固定部で規制されて第２ラックが第２位置に保持された状態で、前記第１ラックが伝達ギアとの噛合作用下にベース部材に対し第２方向に変位するよう構成した
ことを特徴とする遊技機における可動式演出装置。
【請求項２】
前記第１ラックおよび第２ラックは、前記ベース部材の待機位置において該ベース部材に相対する範囲内に配置される請求項１記載の遊技機における可動式演出装置。
【請求項３】
前記第１ラックおよび第２ラックにおける前記伝達ギアと噛合する連繋部が同一の長さに設定され、第１ラックおよび第２ラックは、待機位置において各連繋部における変位方向の中央に前記伝達ギアを挟んで臨んでいる請求項１または２記載の遊技機における可動式演出装置。
【請求項４】
前記ベース部材の作動位置は、前記第２ラックが第１位置に保持された状態からベース部材が第１方向に移動することで、該ベース部材に対して前記第１ラックが連繋部の長さの半分だけ第１方向に変位する位置に設定される請求項３記載の遊技機における可動式演出装置。
【発明の詳細な説明】
【技術分野】
【０００１】
この発明は、図柄を変動表示させて遊技演出を行なう図柄表示装置が臨む装飾部材に配設され、この図柄表示装置の遊技演出に合わせて演出部材に所定の演出動作を行なわせる遊技機における可動式演出装置に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動ゲームを行なう図柄表示装置を臨ませるよう構成される。そして、遊技盤の盤面(遊技領域)に打出された遊技球が、装飾部材の下方位置に配設した始動入賞装置に入賞することにより、図柄表示装置での図柄変動ゲームが行なわれるようになっている。また、多くのパチンコ機では、装飾部材に、所要の動作を行なう可動体を備えた可動式の演出装置が配設されており、可動体を図柄表示装置での図柄変動ゲームに合わせて動作させることにより演出効果の向上を図っている。
【０００３】
例えば可動式演出装置としては、装飾部材の下側に上下方向に往復運動が可能な複数の可動部材を備えたものがある(特許文献１参照)。各可動部材は、ラックの上端に固定され、モータに連動したピニオンをラックと噛合し、モータの回転駆動に伴うピニオンの回転によりラックが上下動する構成である。そして、ラックの上下動に伴って、可動部材が装飾部材の下側から上方に突出して図柄表示装置の前側に臨んだり、装飾部材の内方に退避したりする。
【特許文献１】特開２００１−１３７４６１号公報
【発明の開示】
【発明が解決しようとする課題】
【０００４】
このような可動式演出装置では、演出効果の向上を図るために可動部材をより大きく動作させることが求められる。特許文献１の可動式演出装置では、可動部材の移動距離はラックの長さによって決まる。すなわち、可動部材を大きく動作させるためには、ラックを長くする必要があるが、図柄表示装置が大型化する近年の傾向のもとでは、装飾部材にラックを収容するスペースを確保することが難しく、可動部材の動作範囲を広げるのは困難であった。
【０００５】
すなわち本発明は、従来の技術に係る遊技機における可動式演出装置に内在する前記課題に鑑み、これらを好適に解決するべく提案されたものであって、小型で、演出部材を大きく移動し得る遊技機における可動式演出装置を提供することを目的とする。
【課題を解決するための手段】
【０００６】
前記課題を克服し、所期の目的を達成するため、本願の請求項１に係る発明の遊技機における可動式演出装置は、
図柄を変動表示させて遊技演出を行なう図柄表示装置(S)が臨む装飾部材(12)に配設され、前記図柄表示装置(S)の遊技演出に合わせて、演出部材(22)に所定の演出動作を行なわせる遊技機における可動式演出装置であって、
前記装飾部材(12)に設けた固定部(24)に配設した駆動手段(30)と、
前記固定部(24)にスライド可能に配設されると共に、前記駆動手段(30)に連繋され、該駆動手段(30)により待機位置と作動位置との間で移動されるベース部材(40)と、
前記演出部材(22)を有し、前記ベース部材(40)に、該ベース部材(40)の移動方向にスライド可能に配設される第１ラック(52)と、
前記ベース部材(40)に、前記第１ラック(52)に対向してベース部材(40)の移動方向にスライド可能に配設される第２ラック(54)と、
前記ベース部材(40)に、前記第１ラック(52)および第２ラック(54)の間に夫々噛合した状態で回動自在に配設され、その回動により一方のラック(52,54)のベース部材(40)に対する変位方向と反対側に他方のラック(54,52)を変位させる伝達ギア(56)と、
前記第２ラック(54)に設けられ、第２ラック(54)が前記待機位置から作動位置に向かう第１方向に移動する際に前記固定部(24)により移動が規制されて該第２ラック(54)を第１位置に保持すると共に、第２ラック(54)が作動位置から待機位置に向かう第２方向に移動する際に前記固定部(24)により移動が規制されて該第２ラック(54)を第２位置に保持するラックストッパ(55)とを備え、
前記ベース部材(40)が待機位置から第１方向に移動する際に、前記ラックストッパ(55)が固定部(24)で規制されて第２ラック(54)が第１位置に保持された状態で、前記第１ラック(52)が伝達ギア(56)との噛合作用下にベース部材(40)に対し第１方向に変位し、前記ベース部材(40)が作動位置から第２方向に移動する際に、前記ラックストッパ(55)が固定部(24)で規制されて第２ラック(54)が第２位置に保持された状態で、前記第１ラック(52)が伝達ギア(56)との噛合作用下にベース部材(40)に対し第２方向に変位するよう構成したことを特徴とする。
請求項１に係る発明によれば、駆動手段によりベース部材を待機位置から作動位置に移動すると、第２ラックが第１位置に保持された状態でベース部材に対して第１ラックが第１方向に変位するから、ベース部材の第１方向への移動分と第１ラックの第１方向への変位分とを合わせた距離だけ演出部材を移動し得る。また、演出部材は、ベース部材の移動とこのベース部材に配設した第１ラックの変位により動作する構成であるから、ベース部材および第１ラックの移動または変位方向の長さ寸法を抑えることができる。すなわち、装置全体の省スペース化と、演出部材の大きな動作とを両立し得る。更に、１つの駆動手段によりベース部材と第１ラックを移動および変位し得るから、部品点数を減少させて製造コストを低廉に抑えることができる。
【０００７】
請求項２に係る発明は、前記第１ラック(52)および第２ラック(54)は、前記ベース部材(40)の待機位置において該ベース部材(40)に相対する範囲内に配置される。
請求項２に係る発明によれば、ベース部材の待機位置において、第１ラックおよび第２ラックは、ベース部材に相対する範囲内に配置される構成であるから、装置全体をより小型化し得る。
【０００８】
請求項３に係る発明は、前記第１ラック(52)および第２ラック(54)における前記伝達ギア(56)と噛合する連繋部(52b,54b)が同一の長さに設定され、第１ラック(52)および第２ラック(54)は、待機位置において各連繋部(52b,54b)における変位方向の中央に前記伝達ギア(56)を挟んで臨んでいる。
請求項３に係る発明によれば、第１ラックと第２ラックとが、その連繋部が同一長さに設定されると共に、待機位置において各連繋部における変位方向の中央に伝達ギアを挟んで臨む構成であるから、一方のラックにおけるベース部材に対する変位範囲全体において、他方のラックも変位させることができる。すなわち、待機位置における装置全体の寸法を大きくすることなく、両ラックの変位範囲を最大限にし得る。
【０００９】
請求項４に係る発明は、前記ベース部材(40)の作動位置は、前記第２ラック(54)が第１位置に保持された状態からベース部材(40)が第１方向に移動することで、該ベース部材(40)に対して前記第１ラック(52)が連繋部(52b)の長さの半分だけ第１方向に変位する位置に設定される。
請求項４に係る発明によれば、第２ラックが第１位置に保持された状態からベース部材が第１方向に移動することで、該ベース部材に対して第１ラックが連繋部の長さの半分だけ第１方向に変位する位置をべース部材の作動位置としたから、第１ラックの変位範囲を最大限とし、演出部材を大きく変位させることができる。
【発明の効果】
【００１０】
本発明に係る遊技機における可動式演出装置によれば、装置全体の配設スペースを大きく取ることなく、演出部材を大きく動作させることが可能であり、演出部材による視覚的な演出効果を向上させて遊技の興趣を一層増大することができる。
【発明を実施するための最良の形態】
【００１１】
次に、本発明に係る遊技機における可動式演出装置につき、好適な実施例を挙げて、添付図面を参照しながら、以下詳細に説明する。なお実施例では、図柄を可変表示して主たる遊技演出を行なう図柄表示装置を備えるパチンコ機を例にして説明する。また、以下の説明において前・後および左・右とは、特に断りのない限り、図１に示すようにパチンコ機の遊技盤１０を正面側から見た場合において指称するものとする。
【実施例】
【００１２】
図１に示す如く、実施例に係るパチンコ機の遊技盤１０は、その前面側に、略円形状に湾曲形成したレールにより遊技領域Ｔが画成されて、該遊技領域Ｔの上方位置に、遊技盤１０の裏側に配設される図柄表示装置Ｓが臨む大型の装飾部材１２が配設されている。この装飾部材１２は、前記遊技領域Ｔの左右幅方向の大部分を占める枠状本体に、所要の意匠を施した装飾部品や発光体等を配設して構成され、遊技盤１０に開設した装着孔(図示せず)に枠状本体を前側から挿入したもとでネジ止めされる。そして、装飾部材１２の略中央位置に開設した窓口１２ａを介して、前記図柄表示装置Ｓが遊技盤１０の前側に臨むようになっている。また、前記遊技領域Ｔにおける前記装飾部材１２の下方位置には、遊技領域Ｔを流下するパチンコ球が入賞可能な始動入賞具Ｃが配設され、該始動入賞具Ｃの下側に、前記図柄表示装置Ｓでの図柄組合わせゲームの結果により開放する大型電動式の入賞装置Ｄを配設してある。更に、前記遊技領域Ｔの左側部には、図柄表示装置Ｓでの図柄組合わせゲームに応じて照射パターンを変更して発光演出を行なう電飾装置１３が配設されている。
【００１３】
前記装飾部材１２の右側部には、例えば図柄組合わせゲームに関連するキャラクタを模した演出部材２２を有する可動式演出装置２０が配設されている(図１参照)。可動式演出装置２０では、図柄表示装置Ｓでの図柄組合わせゲームに合わせて演出部材２２を、前記窓口１２ａの外側に位置する待機位置(図５参照)と内側に位置する動作位置(図７参照)との間を左右方向に移動するよう構成される。すなわち、演出部材２２は、待機位置から動作位置に移動することで、前記図柄表示装置Ｓの前面に臨まない位置から臨む位置に移動するようになっている。なお、可動式演出装置２０は、演出部材２２を常には待機位置で待機させるよう設定される。
【００１４】
図２および図３に示すように、前記可動式演出装置２０は、装飾部材１２に取付けられるケース部材(固定部)２４と、このケース部材２４に設けた駆動手段３０と、この駆動手段３０により左右方向に移動されるベース部材４０と、演出部材２２を備えると共にベース部材４０に設けられ、ベース部材４０の左右移動により移動する可動部５０とを備え、ケース部材２４単位で単一のユニットとして取扱い可能に構成される。ケース部材２４は、前半体２５と後半体２６とを組合わせて構成した箱状部材であって、両半体２５,２６の間にベース部材４０および駆動手段３０の後述する変速部３１が配設されている。後半体２６の上部側には、左右方向に延在すると共に左方(窓口１２ａ側)に向けて開放した後溝部２６ａが形成され、この後溝部２６ａに沿ってベース部材４０がスライド自在に配設されている。また、前半体２５には、ベース部材４０に配設した可動部５０における後述する第１ラック５２の前面に臨んで、左右方向に延在すると共に左方に開放した前溝部２５ａが形成され、第１ラック５２の前面に設けた後述の突部５３ａ,５３ｂが、前溝部２５ａを介してケース部材２４の前側に延出するようになっている。
【００１５】
前記駆動手段３０は、前半体２５の前面に配設したモータＭと、このモータＭの回転を伝達する複数の歯車３２,３４,３６からなる変速部３１とから構成され、モータＭとしては、図４に示す制御手段Ｐの回転数制御下に正逆回転するステッピングモータが採用される。ここでモータＭは、ケース部材２４を装飾部材１２に組付けた際に、前半体２５あるいは装飾部材１２に配設した図示しない装飾品の後側に位置するように配置される。すなわち、モータＭをケース部材２４の前面に設けても露出しないようにし、これによりモータＭが後側に突出しないので、ケース部材２４の後側のスペースを有効に利用し得るようになっている。モータＭは、その回転軸を後側に向けて前半体２５の右側下部に配設され、前半体２５を突抜けた回転軸の先端に、該前半体２５と後半体２６との間に臨む第１歯車３２が固定されている。また、前半体２５と後半体２６との間には、図２に示すように、第１歯車３２の下側に噛合する第２歯車３４が軸支されている。更に、第２歯車３４の左側に噛合すると共にベース部材４０の後述する歯部４２ａに噛合する第３歯車３６が、前半体２５と後半体２６との間に軸支され、モータＭの回転が、第１歯車３２,第２歯車３４および第３歯車３６の３つの歯車からなる変速部３１を介してベース部材４０に伝達される。なお、実施例の変速部３１は、第１歯車３２と比較して第２歯車３４の歯数が多く設定されると共に、第２歯車３４と比較して第３歯車３６の歯数が多く設定され、モータＭの回転が順次減速されるようになっている。
【００１６】
前記ベース部材４０は、ケース部材２４の左右寸法より短尺に設定した左右方向に長尺な略矩形状の中板４２と、この中板４２と略同一寸法に設定され、中板４２の前側に所定間隔離間して組付けられる前板４４と、中板４２の左右寸法と略同一に設定され、中板４２の後側上下中央に所定間隔離間して組付けられた後板４６とを重ね合わせて構成される。ベース部材４０は、中板４２と後板４６との隙間にケース部材２４における後溝部２６ａの上下の縁辺を夫々挟むように保持して、当該後溝部２６ａに沿って左右方向にスライド可能に配設される。そして、中板４２と前板４４との間に、可動部５０が変位可能に配設される。また中板４２には、変速部３１側に臨む面(実施例では下面)に左右方向の全体に亘って歯部４２ａが設けられ、この歯部４２ａが第３歯車３６に噛合して、第３歯車３６の回転が中板４２(ベース部材４０)のケース部材２４に対する左右方向の直線運動に変換される。
【００１７】
前記ベース部材４０は、後溝部２６ａの右端に係止された待機位置において右方(第２方向)への移動が規制され、このときベース部材４０は、ケース部材２４の内方に収納されると共に、ベース部材４０における歯部４２ａの左端部側が、第３歯車３６に噛合するようになっている(図２および図５参照)。また、ベース部材４０は、後溝部２６ａにおける上下の縁辺における左端部側に夫々設けた一対の突起２６ｂ,２６ｂに、後板４６の右端部側に上下に張出して形成した係止片４６ａ,４６ａが対応的に係止された作動位置で左方(第１方向)への移動が規制される。このときベース部材４０は、ケース部材２４から左方に突出すると共に、ベース部材４０における歯部４２ａの右端部側が、第３歯車３６に噛合する(図７参照)。なお、前板４４としては透明な部材が採用されて、中板４２と前板４４との間に挟持した可動部５０の各構成部材５２,５４,５６を前側から視認可能となっており、製造工程において可動部５０における構成部材５２,５４,５６の位置関係を確認し易くしてある。また、ベース部材４０の移動方向、後述する第１および第２ラック５２,５４の変位方向、演出部材２２の移動方向等に関しては、ベース部材４０の待機位置から作動位置に向かう方向(実施例では左方向)について第１方向、作動位置から待機位置に向かう方向(実施例では右方向)について第２方向とも指称する。
【００１８】
前記可動部５０は、ベース部材４０の左右方向への移動につれて一体的に左右方向に変位すると共に、ベース部材４０の左右方向の移動に連動して、可動部５０に設けた演出部材２２をベース部材４０に対し更に左右方向に移動するよう構成されている。この可動部５０は、ベース部材４０における中板４２の前面に上下に離間して対向配置され、左右方向に夫々スライド変位可能な第１ラック５２および第２ラック５４と、この第１ラック５２および第２ラック５４に夫々噛合する状態でベース部材４０に回動可能に配設した伝達ギア５６とから構成される(図３参照)。また、可動部５０では、第１ラック５２と第２ラック５４とが伝達ギア５６を介して連繋され、一方のラック５２(５４)のベース部材４０に対する変位方向と反対側に、伝達ギア５６の回動下に他方のラック５４(５２)がベース部材４０に対して変位するよう構成される(図５〜図８参照)。
【００１９】
前記第１ラック５２は、ベース部材４０の左右寸法と略同一に設定され、その後面に設けた第１レール溝５２ａを、ベース部材４０における中板４２前面の一側部(実施例では、変速部３１側である下側)において左右方向に沿って突設した第１レール４２ｂに嵌合わせて、中板４２と前板４４との間において左右方向にスライド可能に配設されている。また第１ラック５２には、対向配置した第２ラック５４側に臨む上側面に左右方向の全体に亘って歯状の第１連繋部５２ｂが形成され、ベース部材４０の左右方向中央において中板４２と前板４４との間に軸支した伝達ギア５６に第１連繋部５２ｂが噛合するよう構成される。そして、第１ラック５２は、その全体がベース部材４０の前面に重なって当該前面に相対する範囲内に位置する後退位置(図２または図５参照)と、この後退位置より第１方向に変位した前進位置との間を、ベース部材４０に対しスライド移動するよう構成されている(図７参照)。すなわち、第１ラック５２の後退位置において、第１連繋部５２ｂにおける左右方向の中央部分が伝達ギア５６に対置され、第１連繋部５２ｂの中央から右端までの距離が、第１ラック５２の第１方向への変位が許容されるラック変位距離となる。なお、ベース部材４０の左右寸法と略同一寸法に設定した第１ラック５２のラック変位距離は、ベース部材４０の移動距離より短くなり、実施例では、ベース部材４０の待機位置と作動位置との間の移動距離の２／３程度になっている。
【００２０】
前記第２ラック５４は、第１ラック５２の左右寸法と同一に設定され、その後面に設けた第２レール溝５４ａを、ベース部材４０における中板４２前面の他側部(実施例では、変速部３１から離間する上側)において左右方向に沿って突設した第２レール４２ｃに嵌合わせて、中板４２と前板４４との間において左右方向にスライド可能に配設される。また、第２ラック５４には、対向配置した第１ラック５２側に臨む下側面に左右方向の全体に亘って歯状の第２連繋部５４ｂが形成され、この第２連繋部５４ｂが伝達ギア５６に噛合するようになっている。第２ラック５４は、第１ラック５２の後退位置において、その全体が第１ラック５２と同様にベース部材４０の前面に重なって当該前面に相対する範囲内に位置する第１位置(図２または図５参照)と、第１ラック５２の前進位置において、ベース部材４０に対し第１ラック５２と反対となる第２方向に突出した第２位置との間を変位するよう構成されている(図７参照)。すなわち、ベース部材４０がケース部材２４に収納された待機位置においては、可動部５０の第１ラック５２および第２ラック５４は、ベース部材４０の前面範囲内に臨んでベース部材４０から第１方向または第２方向に突出しないように配置され(図２参照)、このとき演出部材２２が待機位置に保持される。これに対し、ベース部材４０の作動位置においては、可動部５０の第１ラック５２がベース部材４０から第１方向に突出した前進位置まで変位した状態となり、このとき演出部材２２が最大限に第１方向に移動した動作位置に臨むようになっている。
【００２１】
前記第１ラック５２および第２ラック５４における伝達ギア５６と噛合する連繋部５２ｂ,５４ｂは、同一の長さに設定されている。また、第１ラック５２および第２ラック５４は、ベース部材４０の待機位置において各連繋部５２ｂ,５４ｂにおける左右方向(変位方向)の中央に伝達ギア５６を挟んで臨むようになっている(図２参照)。
【００２２】
前記第１ラック５２の前面には、左右方向に離間して一対の突部５３ａ,５３ｂが設けられ、両突部５３ａ,５３ｂが、前板４４の対応位置において左右方向に長手が延在するよう開設された長孔４４ａから前側に臨むようになっている。そして、両突部５３ａ,５３ｂの前端に、ケース部材２４の前側に臨んで、演出部材２２の設置基体となるスライドブロック１８が取付けられる。このスライドブロック１８の前面には、左右方向に直線的に並んで一対のボス部１８ａ,１８ａが設けられ、該ボス部１８ａ,１８ａの前端に、第１ラック５２およびスライドブロック１８を覆った状態で演出部材２２が取付けられ、ベース部材４０の移動および第１ラック５２の変位につれて、演出部材２２が待機位置と動作位置との間を移動するよう構成される。なお、前記長孔４４ａは、第１ラック５２の後退位置と前進位置との間の変位を許容する長さに設定されている。
【００２３】
前記第２ラック５４は、固定部としてのケース部材２４により第１方向または第２方向への移動が規制されて、第２ラック５４のケース部材２４に対する第１方向または第２方向への移動を規制するラックストッパ５５を備えている。ラックストッパ５５は、第２ラック５４の上側面における左右方向の略中央部に、上側へ向けて突設される。また、ケース部材２４の後半体２６には、図２または図３に示すように、第２ラック５４におけるラックストッパ５５の突出側に対応して第１係止部２８および第２係止部２９が設けられ、各係止部２８,２９にラックストッパ５５が当接することで、第２ラック５４の第１方向または第２方向への移動が規制されるようになっている。実施例では、後半体２６における第２ラック５４の上側に沿って左右方向に沿って連設した壁部の一部に、下側に向けて開放する凹部が形成され、該凹部における左端が第１係止部２８として機能し、右端が第２係止部２９として機能するよう構成してある。そして、第２ラック５４は、ラックストッパ５５が第１係止部２８に当接して第１方向(左方)への移動が規制された第１位置(図６および図７参照)と、ラックストッパ５５が第２係止部２９に当接して第２方向(右方)への移動が規制された第２位置(図５および図８参照)とに保持されるよう構成される。
【００２４】
すなわち、前記ベース部材４０の待機位置において、ラックストッパ５５が第２係止部２９に当接すると共に、第１ラック５２が後退位置に臨む状態から、該ベース部材４０が作動位置に向けた第１方向に移動する途中に、ラックストッパ５５が第１係止部２８に当接して第１位置で移動規制された以後は、ベース部材４０の第１方向への移動に伴って伝達ギア５６との噛合作用下に第１ラック５２がベース部材４０に対して第１方向に変位するよう構成される。また、ベース部材４０の作動位置において、ラックストッパ５５が第１係止部２８に当接すると共に、第１ラック５２が前進位置に臨む状態から、該ベース部材４０が待機位置に向けた第２方向に移動する途中に、ラックストッパ５５が第２係止部２９に当接して第２位置で移動規制された以後は、ベース部材４０の第２方向への移動に伴って伝達ギア５６との噛合作用下に第１ラック５２がベース部材４０に対して第２方向に変位するよう構成されている。なお、前記ベース部材４０の作動位置は、第２ラック５４が第１位置に保持された状態からベース部材４０が第１方向に移動することで、該ベース部材４０に対して前記第１ラック５２が第１連繋部５２ｂの長さの半分だけ第１方向に変位する位置に設定される。
【００２５】
前記可動式演出装置２０は、演出部材２２の原点となる待機位置(ベース部材４０の待機位置)を検出する位置検出手段６０(図４参照)を備え、この位置検出手段６０の検出結果に基づき制御手段ＰによりモータＭを制御するよう構成される。具体的には、位置検出手段として、発光部と受光部とを備えるフォトセンサ６０が用いられ、このフォトセンサ６０が装飾部材１２に配設される。また、前記スライドブロック１８には、その前面に被検出片１８ｂが突設され、待機位置において被検出片１８ｂが発光部と受光部との間の隙間に臨むと共に、ベース部材４０の待機位置から第１方向への移動に伴って後退位置に保持されたまま第１ラック５２が移動するにつれてスライドブロック１８が第１方向に移動した際に、被検出片１８ｂが、発光部と受光部との間の隙間から外れるようになっている。フォトセンサ６０は、被検出片１８ｂが発光部と受光部との間の隙間に位置したことを条件として、演出部材２２が待機位置にあることを制御手段(実施例では、制御手段Ｐにおける後述の演出制御基板Ｐ３)Ｐに対し出力する。また、フォトセンサ６０は、被検出片１８ｂが発光部と受光部との間の隙間から外れたことを条件として、演出部材２２が動作位置に向けて移動したことを制御手段Ｐに対し出力するようになっている。このように、フォトセンサ６０による演出部材２２の位置検出により、制御の容易化が図られている。なお、位置検出手段６０としては、実施例のようなフォトセンサに代えて磁気式等他の非接触式のセンサや、あるいはリミットスイッチ等の接触式のセンサを適宜に採用し得る。
【００２６】
前記可動式演出装置２０は、制御手段Ｐの制御下に、図柄表示装置ＳやＬＥＤやランプ等の発光手段や音声出力手段あるいは他の可動式演出装置と連動して、演出部材２２を動作させるようになっている。図４に示すように、実施例の制御手段Ｐは、遊技機全体を総合的に制御する主制御基板Ｐ１と、この主制御基板Ｐ１の制御下に図柄表示装置Ｓや発光手段等を制御するサブ統括制御基板Ｐ２と、このサブ統括制御基板Ｐ２の制御下に可動式演出装置２０を制御する演出制御基板Ｐ３を有し、フォトセンサ６０による演出部材２２の位置情報は、演出制御基板Ｐ３に入力される。演出制御基板Ｐ３は、サブ統括制御基板Ｐ２の信号に基づいてモータＭの回転駆動を開始して、フォトセンサ６０からの被検出片１８ｂの未検出により演出部材２２が正常に動作していることを判定し、回転数制御下にモータＭを一方向に所要回転分(待機位置から作動位置に至る間)だけ駆動するようになっている。その後、演出制御基板Ｐ３は、モータＭを逆方向に回転駆動して、フォトセンサ６０による被検出片１８ｂの検出によりモータＭを停止するように制御している。
【００２７】
〔実施例の作用〕
次に、実施例に係るパチンコ機の可動式演出装置２０の作用について説明する。なお、可動式演出装置２０は、図２または図５に示す如く、前記ベース部材４０が待機位置に保持されると共に、前記第１ラック５２が後退位置、前記第２ラック５４が第２係止部２９にラックストッパ５５が当接した第２位置に保持されて、前記演出部材２２が待機位置にあるものとする。
【００２８】
遊技者の遊技操作に応じて遊技盤１０の遊技領域Ｔに打出されたパチンコ球が、始動入賞具Ｃに入賞することにより、図柄表示装置Ｓでの図柄変動ゲームが行なわれ、これに合わせて可動式演出装置２０も制御手段Ｐにより所定の演出を行なうように駆動制御される。具体的には、モータＭが一方向に回転駆動されることで変速部３１の各歯車３２,３４,３６が回転し、第３歯車３６とベース部材４０の歯部４２ａとの噛合作用下に、変速部３１の回転がベース部材４０の直線運動に変換されて、ケース部材２４に対しベース部材４０が待機位置から第１方向に向けて移動される。このとき、第１ラック５２および第２ラック５４は、ケース部材２４に対して変位することなく一体的に第１方向に移動し、これに伴って演出部材２２も第１方向に移動する(図６参照)。
【００２９】
図６に示す如く、前記第２ラック５４のラックストッパ５５が第１係止部２８に当接して移動規制されると、以後はベース部材４０の第１方向への移動に伴って、第１位置に保持されている第２ラック５４と噛合する伝達ギア５６が回転することで第１ラック５２がベース部材４０に対して第１方向に変位する。そして、ベース部材４０が作動位置に至ったときに、第１ラック５２が前進位置に至り、前記演出部材２２が動作位置に臨む(図７参照)。このように、演出部材２２は、ベース部材４０がケース部材２４に対して待機位置から作動位置まで移動する移動距離に、第１ラック５２がベース部材４０に対して後退位置から前進位置まで変位するラック変位距離を加えた距離だけ待機位置から大きく第１方向に移動する。
【００３０】
前記制御手段Ｐは、モータＭを一方向に所定の回転数だけ回転駆動して、ベース部材４０を第１方向へ移動して作動位置に到来させると、モータＭの回転方向を逆方向に切換えてベース部材４０を第２方向へ移動させる。ベース部材４０が作動位置から第２方向へ移動することで、第１ラック５２および第２ラック５４は、第１ラック５２が前進位置に保持されたまま第２方向へ移動し、演出部材２２も第２方向へ移動される。そして、前記ラックストッパ５５が第２係止部２９に当接することで(図８参照)、第２ラック５４のケース部材２４に対する第２方向への移動が規制された以後は、ベース部材４０の第２方向への移動に伴って、第２位置に保持されている第２ラック５４と噛合する伝達ギア５６が回転することで第１ラック５２がベース部材４０に対して第２方向に変位する。ベース部材４０が待機位置に到来すると、第１ラック５２が当該ベース部材４０の前面範囲内に収まった後退位置に至ると共に、第２ラック５４もベース部材４０の前面範囲内に収まる。このとき、フォトセンサ６０が被検出片１８ｂを検出したことを条件として、制御手段ＰによりモータＭの回転駆動が停止され、演出部材２２が待機位置で保持される。
【００３１】
なお、前記ベース部材４０を待機位置と作動位置との間を一往復させて、演出部材２２を待機位置と動作位置との間を一往復する動作だけではなく、ベース部材４０を待機位置と作動位置との間で複数回往復したり、待機位置と作動位置との途中で往復動させたり、途中で一時停止するように制御して、演出部材２２に複雑な動作をさせることも可能である。
【００３２】
前記可動式演出装置２０において、演出部材２２は、駆動手段３０により移動されるベース部材４０の移動距離に留まらず、この移動距離に第１ラック５２のラック変位距離を合わせた範囲で大きく移動させることができ、演出部材２２の動作による視覚的効果を向上し得る。例えば、駆動手段に連繋した単一のラックで実施例の演出部材２２と同様の移動範囲を得るためには、移動範囲と同じ長さのラックを要するから、可動式演出装置の左右寸法が大きくなったり、ラックが左方または右方に突出して、他の部材と干渉する弊害がある。これに対し、実施例の可動式演出装置２０では、ベース部材４０のケース部材２４に対する左右方向の移動と、第１ラック５２のベース部材４０に対する左右方向の変位とにより演出部材２２を動作させる構成であるから、演出部材２２の移動範囲と同じ長さのベース部材４０または第１ラック５２が必要はなく、ベース部材４０および第１ラック５２の左右寸法を抑えることができる。しかも、ベース部材４０の待機位置において、第１ラック５２および第２ラック５４は、ベース部材４０に相対する範囲内に配置される構成であるから、装置全体をより小型化し得ると共に、ベース部材４０または第１ラック５２と他の部材との干渉を回避して、遊技盤１０のスペースの有効利用を図り得る。このように、可動式演出装置２０によれば、装置全体の省スペース化と、演出部材２２の大きな動作とを両立し得る。
【００３３】
前記モータＭの回転駆動によりベース部材４０を待機位置と作動位置との間を移動する際に、第２ラック５４を第１位置または第２位置で移動規制することで、第１ラック５２を伝達ギア５６の噛合作用下に後退位置と前進位置との間を変位させ得るから、第１ラック５２を変位させるために別の駆動手段を必要としない。すなわち、１つのモータＭによりベース部材４０と第１ラック５２を左右方向に移動および変位し得るから、部品点数を減少させて製造コストを低廉に抑えることができる。
【００３４】
前記演出部材２２は、ベース部材４０を待機位置から作動位置まで移動させるモータＭの回転量で、ベース部材４０に対する後退位置から前進位置まで第１ラック５２が変位する距離だけ長く移動する。すなわち、モータＭの回転量に対し、演出部材２２の移動距離を長くし得るから、移動距離を長くするためにモータＭの回転量を上げる必要はなく、回転量を大きくすることによる騒音や振動の発生またはモータＭへの負荷を抑制し得る。
【００３５】
前記可動部５０は、第１ラック５２と第２ラック５４とが、その連繋部５２ｂ,５４ｂが同一長さに設定されると共に、ベース部材４０の待機位置において各連繋部５２ｂ,５４ｂにおける左右方向の中央に伝達ギア５６を挟んで臨む構成であるから、一方のラック５２(５４)におけるベース部材４０に対する変位範囲全体において、他方のラック５４(５２)も変位させることができる。すなわち、ベース部材４０を待機位置に保持した状態での可動式演出装置２０全体の左右寸法を大きくすることなく、両ラック５２,５４の変位範囲を最大限にし得る。また、ベース部材４０の作動位置を、第２ラック５４が第１位置に保持された状態からベース部材４０が第１方向に移動することで、該ベース部材４０に対して第１ラック５２が第１連繋部５２ｂの長さの半分だけ第１方向に変位する位置に設定したから、第１ラック５２の変位範囲を最大限とし、演出部材２２を大きく移動させることができる。
【００３６】
(変更例)
なお、可動式演出装置の構成としては、実施例のものに限られるものではなく、以下の如く種々の変更が可能である。
(1)実施例では、可動式演出装置を装飾部材の右側部に配設した場合で説明したが、その配設位置は左側部あるいは上下部等、何れの位置であってもよい。また演出部材の移動方向についても、左右方向に限定されるものでなく、実施例におけるケース部材の配設向きを変更することで、上下方向あるいは斜め方向等、各方向を任意に設定し得る。
(2)実施例では、固定部としてのケース部材に、駆動手段およびベース部材を配設する構成であるが、駆動手段およびベース部材を装飾部材に直接取付ける構成であってもよい。この場合、装飾部材が固定部となる。
(3)ベース部材を移動させる駆動手段は、実施例のモータと変速部との構成に限定されるものでなく、モータに代えて、ロータリー式のソレノイド等の各種ロータリーアクチュエータを採用し得る。また、直線的に駆動するソレノイドやシリンダ等のリニアアクチュエータをベース部材に直結する構成を採用することも可能である。
(4)実施例では、第２ラックの移動規制を行なうラックストッパが当接する係止部をケース部材の前半体に設けたが、該ラックストッパが当接可能であれば、後半体に設けられていてもよい。またケース部材に１つの係止部を設け、該係止部に対して第１方向への移動時に当接するものと第２方向への移動時に当接するものとの２つのラックストッパを第２ラックに設ける構成であってもよい。すなわち、第２ラックを第１位置と第２位置とに保持し得る構成であれば、その他各種の構造を採用し得る。
(5)実施例では、装飾部材に液晶式の図柄表示装置を配設して主たる遊技演出を行なうようにしたが、ドラム式やベルト式等のように図柄を変動表示するものであればよい。
(6)可動式演出装置を配設する遊技機としては、パチンコ機に限らずアレンジボール機やスロットマシン機、あるいはパチンコ式スロットマシン(パロット)等であってもよく、主たる遊技演出を行なう図柄表示装置が臨む装飾部材を備えたものであれば何れのものであってもよい。
【図面の簡単な説明】
【００３７】
【図１】実施例に係るパチンコ機の遊技盤を示す正面図である。
【図２】実施例に係る可動式演出装置の内部構造を示す概略正面図である。
【図３】実施例に係る可動式演出装置を分解して示す正面図である。
【図４】実施例に係るパチンコ機の主要な制御ブロック図である。
【図５】実施例に係る可動式演出装置を、ベース部材が待機位置に保持された状態を示す動作説明図である。
【図６】実施例に係る可動式演出装置を、第１方向に移動した第２ラックのラックストッパが第１係止部に当接して第１位置に保持された状態を示す動作説明図である。
【図７】実施例に係る可動式演出装置を、ベース部材が作動位置に至った状態を示す動作説明図である。
【図８】実施例に係る可動式演出装置を、第２方向に移動した第２ラックのラックストッパが第２係止部に当接して第２位置に保持された状態を示す動作説明図である。
【符号の説明】
【００３８】
１２  装飾部材
２２  演出部材
２４  ケース部材(固定部)
３０  駆動手段
４０  ベース部材
５２  第１ラック
５２ｂ  第１連繋部(連繋部)
５４  第２ラック
５４ｂ  第２連繋部(連繋部)
５５  ラックストッパ
５６  伝達ギア
Ｓ  図柄表示装置
【図１】
0004699290.tif 000002
【図２】
0004699290.tif 000003
【図３】
0004699290.tif 000004
【図４】
0004699290.tif 000005
【図５】
0004699290.tif 000006
【図６】
0004699290.tif 000007
【図７】
0004699290.tif 000008
【図８】
0004699290.tif 000009